(57)【要約】【課題】３つ折り印刷物の各部分の印刷の向きが同一でページ順に連続するデータ群を生成する。【解決手段】３つ折り印刷物Ｐの表面Ｓの上部分Ｕから下部分Ｌ、次いで裏面Ｒの上部分Ｕから下部分Ｌをそれぞれ読み取った画像データＤを受け取り、画像データＤを各面Ｓ，Ｒの各部分Ｕ，Ｍ，Ｌの部分データＰＤに分割し、裏面Ｒの上部分Ｕおよび下部分Ｌの部分データＰＤを１８０度回転させ、表面Ｓの上部分Ｕ、中部分Ｍ、下部分Ｌ、裏面Ｒの上部分Ｕ、中部分Ｍ、下部分Ｌに昇順するか、若しくは、裏面Ｒの上部分Ｕ、中部分Ｍ、下部分Ｌ、表面Ｓの上部分Ｕ、中部分Ｍ、下部分Ｌに昇順する論理ページを割り付けてページ順に編集する。【選択図】図５
2012142658.tif 000002
【特許請求の範囲】
【請求項１】
上部分、中部分および下部分からなる３つの部分に用紙を上下方向に区分けし、前記３つの部分の表面および裏面にはそれぞれ印刷が施されており、前記表面における上部分および下部分を中部分に向けてそれぞれ折り畳んだ内３つ折り印刷物について、前記表面の前記上部分から前記下部分まで、次いで前記裏面の前記上部分から前記下部分までをそれぞれ前記上部分から前記下部分に向けて読み取った画像データを受け取るデータ受取手段と、
前記受け取った画像データを前記各面における前記各部分から読み取った部分データに分割するデータ分割手段と、
前記部分データのうち、前記裏面の上部分および下部分から読み取った部分データを１８０度回転させ、前記各部分データを、前記表面の前記上部分、前記中部分、前記下部分、次いで前記裏面の前記上部分、前記中部分、前記下部分に昇順するか、若しくは、前記裏面の前記上部分、前記中部分、前記下部分、次いで前記表面の前記上部分、前記中部分、前記下部分に昇順する論理ページを割り付けるデータ処理手段と、
前記論理ページが割り付けられた前記各部分データを前記論理ページ順に連続するデータ群に編集するデータ編集手段とを備えたことを特徴とする画像処理装置。
【請求項２】
上部分、中部分および下部分からなる３つの部分に用紙を上下方向に区分けし、前記３つの部分の表面および裏面にはそれぞれ印刷が施されており、前記表面における上部分および下部分を中部分に向けてそれぞれ折り畳んだ内３つ折り印刷物について、前記表面の前記上部分から前記下部分まで、次いで前記裏面の前記下部分から前記上部分までをそれぞれ前記上部分から前記下部分に向けて読み取ったデータを受け取るデータ受取手段と、
前記受け取った各面データを前記各面における前記各部分から読み取った部分データに分割するデータ分割手段と、
前記部分データのうち、前記裏面の中部分から読み取った部分データを１８０度回転させ、前記各部分データを、前記表面の前記上部分、前記中部分、前記下部分、次いで前記裏面の前記上部分、前記中部分、前記下部分に昇順するか、若しくは、前記裏面の前記上部分、前記中部分、前記下部分、次いで前記表面の前記上部分、前記中部分、前記下部分に昇順する論理ページを割り付けるデータ処理手段と、
前記論理ページが割り付けられた前記各部分データを前記論理ページ順に連続するデータ群に編集するデータ編集手段とを備えたことを特徴とする画像処理装置。
【請求項３】
前記表面の前記各部分データと、前記裏面の前記各部分データのいずれを先の前記論理ページとするかを示す優先順序を受け付ける順序受付手段を備え、
受け付けた優先順序に基づいて、前記データ処理手段が前記各部分データの前記論理ページを割り付けることを特徴とする請求項１または２に記載の画像処理装置。
【請求項４】
前記３つの部分の前記上下方向の長さが略等しいことを特徴とする請求項１〜３のいずれか１項に記載の画像処理装置。
【発明の詳細な説明】
【技術分野】
【０００１】
本発明は印刷物を読み取った画像データに画像処理を施す画像処理装置に関する。より詳しくは、読み取った画像データを受け取り、当該画像データに画像処理を施してページ順のデータ群を生成する画像処理装置に関する。
【背景技術】
【０００２】
従来、スキャナ等で原稿を読み取り、読み取った画像データをページ順のデータ群としてコンピュータ等で処理可能なファイルフォーマットで保存することが知られている。特許文献１には、１面に複数のページが割り付けられた原稿であっても、ページ順のデータ群として出力可能な画像形成装置が提案されている。
【先行技術文献】
【特許文献】
【０００３】
【特許文献１】特開２００７−１３７９９号公報
【発明の概要】
【発明が解決しようとする課題】
【０００４】
１面に複数のページが割り付けられた原稿には、案内状のように、１枚の用紙を上下方向に３つの部分に区分けし、表面および裏面の区分けされた上部分、中部分および下部分にそれぞれ印刷が施され、表面の上部分および下部分を表面の中部分に向けて折り畳んだ内３つ折り印刷物が含まれる。
【０００５】
しかしながら、このような内３つ折り印刷物の裏面の印刷は、折り畳んだ状態若しくは上部分または下部分のいずれか一方を開いた状態で視認しやすくするため、見開いた状態での裏面の上部分および下部分の印刷が中部分の印刷と１８０度向きが異なっている。
【０００６】
特許文献１に提案されている技術を用いて、この内３つ折り印刷物を読み取っても、印刷の向きが異なるページを含むデータ群が生成されてしまい、印刷の向きが同一でページ順に連続するデータ群を生成することが困難である。
【０００７】
本発明の目的は、上記事情に鑑み、内３つ折り印刷物であっても、各部分の印刷が同一の向きでページ順に連続するデータ群を生成できる画像処理装置を提供することである。
【課題を解決するための手段】
【０００８】
上記課題を解決するために、本発明による第１の画像処理装置は、上部分、中部分および下部分からなる３つの部分に用紙を上下方向に区分けし、３つの部分の表面および裏面にはそれぞれ印刷が施されており、表面における上部分および下部分を中部分に向けてそれぞれ折り畳んだ内３つ折り印刷物について、表面の上部分から下部分まで、次いで裏面の上部分から下部分までをそれぞれ上部分から下部分に向けて読み取った画像データを受け取るデータ受取手段と、受け取った画像データを各面における各部分から読み取った部分データに分割するデータ分割手段と、部分データのうち、裏面の上部分および下部分から読み取った部分データを１８０度回転させ、各部分データを、表面の上部分、中部分、下部分、次いで裏面の上部分、中部分、下部分に昇順するか、若しくは、裏面の上部分、中部分、下部分、次いで表面の上部分、中部分、下部分に昇順する論理ページを割り付けるデータ処理手段と、論理ページが割り付けられた各部分データを論理ページ順に連続するデータ群に編集するデータ編集手段とを備えたことを特徴とする。
【０００９】
本発明による第２の画像処理装置は、上部分、中部分および下部分からなる３つの部分に用紙を上下方向に区分けし、３つの部分の表面および裏面にはそれぞれ印刷が施されており、表面における上部分および下部分を中部分に向けてそれぞれ折り畳んだ内３つ折り印刷物について、表面の上部分から下部分まで、次いで裏面の下部分から上部分までをそれぞれ上部分から下部分に向けて読み取ったデータを受け取るデータ受取手段と、受け取った画像データを各面における各部分から読み取った部分データに分割するデータ分割手段と、部分データのうち、裏面の中部分から読み取った部分データを１８０度回転させ、各部分データを、表面の上部分、中部分、下部分、次いで裏面の上部分、中部分、下部分に昇順するか、若しくは、裏面の上部分、中部分、下部分、次いで表面の上部分、中部分、下部分に昇順する論理ページを割り付けるデータ処理手段と、論理ページが割り付けられた各部分データを論理ページ順に連続するデータ群に編集するデータ編集手段とを備えたことを特徴とする。
【００１０】
ここで、第１および第２の画像処理装置における「上部分」、「中部分」および「下部分」とは、用紙を上下方向に略三等分することにより形成された部分を意味する。また、「上下方向に区分け」とは、横方向に延びる境界で区分けすることを意味する。また、「上部分および下部分を中部分に向けてそれぞれ折り畳んだ」とは、上部分と下部分が中部分に面する方向にそれぞれ折り畳むことを意味する。
【００１１】
本発明による第１および第２の画像処理装置は、表面の各部分データと、裏面の各部分データのいずれを先の論理ページとするかを示す優先順序を受け付ける順序受付手段を備え、受け付けた優先順序に基づいて、データ処理手段が各部分データの論理ページを割り付けるものであってもよい。また、本発明による第１および第２の画像処理装置は、３つの部分の上下方向の長さが略等しいものであってもよい。
【発明の効果】
【００１２】
本発明による第１の画像処理装置によれば、内３つ折り印刷物の表面の上部分から下部分まで、次いで裏面の上部分から下部分までをそれぞれ上部分から下部分に向けて読み取った画像データを受け取り、表面および裏面を読み取った各データを各面における各部分から読み取った部分データに分割し、部分データのうち、裏面の上部分および下部分から読み取った部分データを１８０度回転させ、各部分データを、表面の上部分、中部分、下部分、次いで裏面の上部分、中部分、下部分に昇順するか、若しくは、裏面の上部分、中部分、下部分、次いで表面の上部分、中部分、下部分に昇順する論理ページを割り付けて各部分データを論理ページ順に連続するデータ群に編集することにより、裏面を上部分から下部分に向けて読み取ることで裏面の上部分および下部分の部分データが他の部分とは１８０度向きが異なるものであっても、裏面の上部分および下部分の部分データを回転させて正しい向きに修正して論理ページを割り付けるため、各部分の印刷が同一の向きでページ順に連続するデータ群を生成できる。
【００１３】
本発明による第２の画像処理装置によれば、３つ折り印刷物について、表面の上部分から下部分まで、次いで裏面の下部分から上部分までをそれぞれ上部分から下部分に向けて読み取った画像データを受け取り、表面および裏面を読み取った各データを各面における各部分から読み取った部分データに分割し、部分データのうち、裏面の中部分から読み取った部分データを１８０度回転させ、各部分データを、表面の上部分、中部分、下部分、次いで裏面の上部分、中部分、下部分に昇順するか、若しくは、裏面の上部分、中部分、下部分、次いで表面の上部分、中部分、下部分に昇順する論理ページを割り付け、論理ページが割り付けられた各部分データを論理ページ順に連続するデータ群に編集することにより、裏面を下部分から上部分に向けて読み取ることで裏面の中部分の部分データが他の部分とは１８０度向きが異なるものであっても、裏面の中部分の部分データを回転させて正しい向きに修正して論理ページを割り付けるため、各部分の印刷が同一の向きでページ順に連続するデータ群を生成できる。
【００１４】
本発明による第１および第２の画像処理装置は、表面の各部分データと、裏面の各部分データのいずれを先の論理ページとするかを示す優先順序を受け付け、優先順序に基づいて、各部分データの論理ページを割り付けることにより、内３つ折り印刷物の印刷に応じて、表面の各部分を先の論理ページにして裏面の各部分を後の論理ページとするか、若しくは、裏面の各部分を先の論理ページにして表面の各部分を後の論理ページにすることが可能となり、各部分の印刷が同一の向きでより正確にページ順に連続するデータ群を生成できる。
【図面の簡単な説明】
【００１５】
【図１】印刷システムの概略構成図
【図２】内３つ折り印刷物を示す図
【図３】内３つ折り印刷物の見開き状態を示す図（その１）
【図４】内３つ折り印刷物の見開き状態を示す図（その２）
【図５】画像処理部の概略構成図
【図６】内３つ折り印刷物のデータ群の生成を示すフローチャート（その１）
【図７】内３つ折り印刷物のデータ群の生成を示すフローチャート（その２）
【発明を実施するための形態】
【００１６】
本発明の一実施形態について図面を参照して説明する。図１は、本発明の画像処理装置の一実施形態を用いた印刷システムの概略構成図である。印刷システム１は、印刷装置１０とコンピュータ５０とを備えており、印刷装置１０とコンピュータ５０はネットワークを介して互いに接続している。
【００１７】
印刷装置１０は、コンピュータ５０からネットワークを介して印刷データを受信し、原稿を印刷できるとともに、印刷装置１０に接続された画像読取部１２で原稿を読み取り、原稿の画像データＤを論理ページ順に連続するデータ群Ｄ’に編集してコンピュータ５０に送信できる装置である。印刷装置１０は、印刷部１１、画像読取部１２、画像処理部１３、通信部１４、操作パネル１５および制御部１６を備えている。
【００１８】
印刷部１１は、不図示の給紙機構、搬送機構、排紙機構およびインクジェットヘッドを備えており、用紙をインクジェットヘッドに向けて供給し、コンピュータ５０から送信された印刷データに基づいて、インクジェットヘッドがライン毎にインクを吐出することにより、用紙に画像を形成するものである。なお、印刷部１１は、インクジェット方式に限定されるものではなく、孔版印刷方式であってもよい。
【００１９】
画像読取部１２は、原稿台、光源、受光素子、ＡＤＦ装置を備えており、原稿台に設置された原稿を読み取り、原稿の画像データＤを画像処理部１３へ出力するものである。画像読取部１２は、原稿を自動的に表面から裏面の順に読み取りできるものである。
【００２０】
画像読取部１２は、原稿の表面の上端から下端に向けて読み取った後、裏面を上端から下端に向けて読み取る読取方向と、原稿の表面の上端から下端に向けて読み取った後、裏面を下端から上端に向けて読み取る読取方向の２つの読取方向で読み取りすることができる。いずれの読取方向で読み取るかは、ユーザが操作パネル１５で設定する。なお、画像読取部１２は印刷装置１０に接続するものに限定されず、印刷装置１０に内蔵されるものであってもよい。
【００２１】
本発明の画像処理装置の一実施形態である画像処理部１３は、画像読取部１２からの画像データＤを受け取り、受け取った画像データＤに画像処理を施して論理ページ順に連続するデータ群Ｄ’に編集して通信部１４に出力するものである。なお、画像処理部１３の詳細については後述する。
【００２２】
通信部１４は、コンピュータ５０からネットワークを介して印刷データを受信する際、または、コンピュータ５０にネットワークを介してデータ群Ｄ’を送信する際のプロトコル処理を行うものである。
【００２３】
操作パネル１５は、例えばタッチパネル方式で構成され、印刷時または画像読取時のユーザからの各種条件入力を受け付けるものである。具体的に、ユーザは、原稿種類、原稿のサイズ、原稿の読取方向等の入力が可能である。
【００２４】
制御部１６は、中央処理装置（ＣＰＵ）、半導体メモリやハードディスクやＳＳＤ等のストレージデバイスを備えており、各部に対して所定の制御信号を出力し、印刷装置１０の全体の制御を行うものである。
【００２５】
コンピュータ５０は、中央処理装置（ＣＰＵ）、半導体メモリやハードディスクやＳＳＤ等のストレージデバイスおよびキーボードやマウス等の入力装置を備えている。コンピュータ５０には、原稿を作成するアプリケーション、作成した原稿を印刷装置１０に対応した印刷データに変換するプリンタドライバおよび画像読取部１２で読み取った画像データを受け取るスキャナドライバがインストールされている。
【００２６】
印刷システム１は、内３つ折り印刷物Ｐについても、内３つ折り印刷物Ｐを読み取り、画像データＤに画像処理を施して論理ページ順に連続するデータ群Ｄ’に編集してコンピュータ５０に出力することができる。また、印刷システム１内のハードディスクや、接続された外部記憶装置（ＵＳＢメモリ等）に保存することも可能である。ここで、内３つ折り印刷物Ｐについて説明する。内３つ折り印刷物Ｐは、図２に示すように、用紙を上下方向に上部分Ｕ、中部分Ｍおよび下部分Ｌの３つの部分に区分けして表面Ｓの上部分Ｕおよび下部分Ｌを表面Ｓの中部分Ｍに向けて折り畳んだ印刷物である。
【００２７】
本実施形態の内３つ折り印刷物Ｐは、Ａ４サイズの用紙を、上端ＵＥから上下方向の長さが１００ｍｍを上部分Ｕ、上部分Ｕに連続する上下方向の長さが１００ｍｍを中部分Ｍ、下端ＬＥから上下方向の長さが９７ｍｍを下部分Ｌの３つの部分に区分けし、表面Ｓの下部分Ｌが表面Ｓの上部分Ｕよりも内側となるように、表面Ｓの上部分および下部分Ｌを表面Ｓの中部分Ｍに向けてそれぞれ折り畳んでいる。内３つ折り印刷物Ｐは、サイズにおいて限定されるものではない。また、折り畳み方においても表面Ｓの上部分Ｕが表面Ｓの下部分Ｌよりも内側となるように、表面Ｓの上部分および下部分Ｌを表面Ｓの中部分Ｍに向けてそれぞれ折り畳むものであってもよいが、この場合、上部分Ｕの上下方向の長さを９７ｍｍ、下部分Ｌの上下方向の長さを１００ｍｍとする。
【００２８】
内３つ折り印刷物Ｐの表面Ｓおよび裏面Ｒにおける各部分Ｕ，Ｍ，Ｌのそれぞれに印刷が施されており、各部分Ｕ，Ｍ，Ｌの印刷は、上部分Ｕ、中部分Ｍそして下部分Ｌで昇順する論理ページが割り付けられている。本実施形態では、図３に示すように、内３つ折り印刷物Ｐの表面Ｓおよび裏面Ｒの各部分Ｕ，Ｍ，Ｌには、論理ページ番号を示す数字が印刷されているものとする。各数字の向きは各部分Ｕ，Ｍ，Ｌの印刷の向きを示すものである。また、図３に示すように、表面Ｓの各部分Ｕ，Ｍ，Ｌの印刷は、裏面Ｒの各部分Ｕ，Ｍ，Ｌよりも先の論理ページとなっている。なお、図３は理解を容易にするため、見開いた状態の内３つ折り印刷物Ｐの表面Ｓおよび裏面Ｒをそれぞれ図示するものである。
【００２９】
内３つ折り印刷物Ｐは、図４に示すように、裏面Ｒの各部分Ｕ，Ｍ，Ｌの印刷が表面Ｓの各部分Ｕ，Ｍ，Ｌの印刷よりも先の論理ページになり得る。このため、画像読取部１２が内３つ折り印刷物Ｐを読み取る際に、画像処理部１３は、操作パネル１５によって表面Ｓの各部分Ｕ，Ｍ，Ｌの印刷と、裏面Ｒの各部分Ｕ，Ｍ，Ｌの印刷のいずれを先の論理ページとするかを示す優先順序をユーザから受け付ける。
【００３０】
また、内３つ折り印刷物Ｐの裏面Ｒの各部分Ｕ，Ｍ，Ｌの印刷は、上部分Ｕおよび下部分Ｌを折り畳んだ状態および上部分Ｕのみ開き下部分Ｌを折り畳んだ状態で視認し易くするため、図３および図４に示すように、裏面Ｒの上部分Ｕおよび下部分Ｌの印刷と裏面Ｒの中部分Ｍの印刷は、見開いた状態で１８０度向きが異なって印刷されている。
【００３１】
次に本発明の画像処理装置の一実施形態である画像処理部１３について説明する。図５は画像処理部１３の概略構成図である。画像処理部１３は、図５に示すように、データ受取手段１３１、データ分割手段１３２、データ処理手段１３３およびデータ編集手段１３４を備えている。
【００３２】
データ受取手段１３１は、画像処理部１３から入力された画像データＤをコンピュータ５０で取扱可能なファイル形式、例えば、ＪＰＥＧ、ＴＩＦＦおよびＰＤＦ（登録商標）等の形式に変換して受け取るものである。
【００３３】
データ分割手段１３２は、受け取った画像データＤが内３つ折り印刷物Ｐを読み取った画像データＤである場合、画像データＤについて、内３つ折り印刷物Ｐの表面Ｓおよび裏面Ｒの各部分Ｕ，Ｍ，Ｌから読み取った６つの部分データＰＤに分割するものである。
【００３４】
データ分割手段１３２は、サイズ情報に基づいて、内３つ折り印刷物Ｐの画像データＤのうち、上端から所定長、例えば１００ｍｍまでを上部分Ｕ、下端から所定長、例えば９７ｍｍまでを下部分Ｌ、上部分Ｕに連続し、上部分の境界から所定長、例えば１００ｍｍまでを中部分Ｍから読み取った各部分データＰＤに分割する。なお、データ分割手段１３２は、画像データＤに含まれる内３つ折り印刷物Ｐの折線を画像認識して画像データＤを各部分データＰＤに分割してもよい。
【００３５】
データ処理手段１３３は、６つの部分データＰＤについて、操作パネル１５で入力された読取方向に基づいて、裏面Ｒの各部分Ｕ，Ｍ，Ｌの各部分データＰＤのうち、上部分Ｕおよび下部分Ｌの部分データＰＤ、若しくは、中部分Ｍの部分データＰＤを１８０度回転させ、ユーザから入力された優先順序に基づいて、表面Ｓおよび裏面Ｒの各部分データＰＤに、表面Ｓの上部分Ｕ，中部分Ｍ，下部分Ｌ、次いで裏面Ｒの上部分Ｕ，中部分Ｍ，下部分Ｌに昇順する論理ページ、若しくは、裏面Ｒの上部分Ｕ，中部分Ｍ，下部分Ｌ、次いで表面Ｓの上部分Ｕ，中部分Ｍ，下部分Ｌに昇順する論理ページを割り付けるものである。
【００３６】
データ編集手段１３４は、論理ページが割り付けられた各部分データＰＤを論理ページ順に連続する１つのデータ群Ｄ’に編集して通信部１４に出力するものである。
【００３７】
次に印刷システム１の作用について説明する。最初に印刷システム１の印刷作用について説明する。ユーザがコンピュータ５０にインストールされたアプリケーションで原稿を作成して印刷処理を実行すると、プリンタドライバが原稿の印刷データを作成してネットワークを介して印刷装置１０に送信する。印刷装置１０では、制御部１６の制御信号に基づいて、通信部１４が印刷データを受け取り、印刷部１１が原稿を印刷する。
【００３８】
次に印刷システム１における内３つ折り印刷物Ｐの画像読取作用について説明する。ユーザが、画像読取部１２の原稿台に内３つ折り印刷物Ｐを見開いた状態で設置し、操作パネル１５から内３つ折り印刷物Ｐのサイズ、画像読取方向、優先順序を入力する。
【００３９】
最初に、読取方向として表面Ｓを上端ＵＥから下端ＬＥに向けて読み取った後、裏面Ｒを上端ＵＥから下端ＬＥに向けて読み取る読取方向と、優先順序として表面Ｓの部分データＰＤを裏面Ｒの部分データＰＤよりも先の論理ページにする優先順序とがそれぞれ選択された場合について、図３および図６を用いて説明する。
【００４０】
画像読取部１２が、内３つ折り印刷物Ｐの表面Ｓを図３の左図の実線矢印で示す方向で読み取り、次いで裏面Ｒを図３の右図の実線矢印で示す方向で読み取り（ＳＴ１）、読み取った画像データＤを画像処理部１３に出力する。
【００４１】
画像処理部１３では、データ受取手段１３１が入力された画像データＤをコンピュータ５０で処理可能なＪＰＥＧ、ＴＩＦＦおよびＰＤＦ（登録商標）等の形式に変換して受け取る（ＳＴ２）。
【００４２】
データ分割手段１３２が、入力されたサイズに基づき、画像データＤを表面Ｓまたは裏面Ｒの上部分Ｕ、中部分Ｍおよび下部分の６つの部分データＰＤにそれぞれ分割する（ＳＴ３）。
【００４３】
図３に示すように、表面Ｓの各部分Ｕ，Ｍ，Ｌおよび裏面Ｒの中部分Ｍの部分データＰＤは数字を上から下に向けて読み取ったものであるのに対し、裏面Ｒの上部分Ｕおよび下部分Ｌの部分データＰＤは数字を下から上に向けて読み取ったものであるため、データ処理手段１３３が、裏面Ｒの上部分Ｕおよび下部分Ｌの部分データＰＤの向きを１８０度回転させ（ＳＴ４）、表面Ｓの上部分Ｕ、中部分Ｍ、下部分、次いで裏面の上部分Ｕ、中部分Ｍ、下部分Ｌに昇順する論理ページを各部分データＰＤに割り付ける（ＳＴ５）。
【００４４】
データ処理手段１３３が、各印刷の向きが同一であり、論理ページが割り付けられた各部分データＰＤを論理ページ順に連続する１つのデータ群Ｄ‘に編集し（ＳＴ６）、通信部１４に出力する。
【００４５】
通信部１４がネットワークを介してデータ群Ｄ’をコンピュータ５０に送信し、コンピュータ５０がスキャナドラバによってデータ群Ｄ’を受け取る（ＳＴ７）。なお、画像読取部１２、画像処理部１３、通信部１４および操作パネル１５における各処理は、制御部１６の制御信号に基づくものである。
【００４６】
次に、読取方向として表面Ｓを上端ＵＥから下端ＬＥに向けて読み取った後、裏面Ｒを下端ＬＥから上端ＵＥに向けて読み取る読取方向と、優先順序として表面Ｓの部分データＰＤを裏面Ｒの部分データＰＤよりも先の論理ページにする優先順序とがそれぞれ選択された場合について、図３および図７を用いて説明する。なお、以下に説明する各場合においては、データ受取手段１３１、データ分割手段１３２、データ編集手段１３４、通信部１４およびコンピュータ５０での各処理は上述した場合と同様の処理が行われるため、その詳細な説明は省略する。
【００４７】
画像読取部１２が、内３つ折り印刷物Ｐの表面Ｓを図３の左図の実線矢印で示す方向で読み取り、次いで裏面Ｒを図３の右図の破線矢印で示す方向で読み取り（ＳＴ１）、読み取った画像データＤを画像処理部１３に出力する。
【００４８】
表面Ｓの各部分Ｕ，Ｍ，Ｌおよび裏面Ｒの上部分Ｕおよび下部分Ｌの部分データＰＤは数字を上から下に向けて読み取ったものであるのに対し、裏面Ｒの中部分Ｍの部分データＰＤは数字を下から上に向けて読み取ったものであるため、データ処理手段１３３は、裏面Ｒの中部分Ｍの部分データＰＤの向きを１８０度回転させ（ＳＴ８）、表面Ｓの上部分Ｕ、中部分Ｍ、下部分Ｌ、次いで裏面Ｒの上部分Ｕ、中部分Ｍ、下部分Ｌに昇順する論理ページを各部分データＰＤに割り付ける（ＳＴ５）。
【００４９】
次に、読取方向として表面Ｓを上端ＵＥから下端ＬＥに向けて読み取った後、裏面Ｒを上端ＵＥから下端ＬＥに向けて読み取る読取方法と、優先順序として裏面Ｒの部分データＰＤを表面Ｓの部分データＰＤよりも先の論理ページにする優先順序とがそれぞれ選択された場合について、図４および図６を用いて説明する。
【００５０】
画像読取部１２が、３つ折り印刷物Ｐの表面Ｓを図４の左図の実線矢印で示す方向で読み取り、次いで裏面Ｒを図４の右図の実線矢印で示す方向で読み取り（ＳＴ１）、読み取った画像データＤを画像処理部１３に出力する。
【００５１】
表面Ｓの各部分Ｕ，Ｍ，Ｌおよび裏面Ｒの中部分Ｍの部分データＰＤは数字を上から下に向けて読み取ったものであるのに対し、裏面Ｒの上部分Ｕおよび下部分Ｌの部分データＰＤは数字を下から上に向けて読み取ったものであるため、データ処理手段１３３は、裏面Ｒの上部分Ｕおよび下部分Ｌの部分データＰＤの向きを１８０度回転させ（ＳＴ４）、裏面Ｒの上部分Ｕ、中部分Ｍ、下部分Ｌ、次いで表面Ｓの上部分Ｕ、中部分Ｍ、下部分Ｌに昇順する論理ページを各部分データＰＤに割り付ける（ＳＴ５）。
【００５２】
最後に、読取方向として表面Ｓを上端ＵＥから下端ＬＥに向けて読み取った後、裏面Ｒを下端ＬＥから上端ＵＥに向けて読み取る読取方法と、優先順序として裏面Ｒの部分データＰＤを表面Ｓの部分データＰＤよりも先の論理ページにする優先順序とがそれぞれ選択された場合について、図４および図７を用いて説明する。
【００５３】
画像読取部１２が、内３つ折り印刷物Ｐの表面Ｓを図４の左図の実線矢印で示す方向で読み取り、次いで裏面Ｒを図４の右図の破線矢印で示す方向で読み取り（ＳＴ１）、読み取った画像データＤを画像処理部１３に出力する。
【００５４】
表面Ｓの各部分Ｕ，Ｍ，Ｌおよび裏面Ｒの上部分Ｕおよび下部分Ｌの部分データＰＤは数字を上から下に向けて読み取ったものであるのに対し、裏面Ｒの中部分Ｍから読み取った部分データＰＤは下から上に向けて読み取ったものであるため、データ処理手段１３３は、裏面Ｒの中部分Ｍの部分データの向きを１８０度回転させ（ＳＴ８）、裏面Ｒの上部分Ｕ、中部分Ｍ、下部分Ｌ、次いで表面Ｓの上部分Ｕ、中部分Ｍ、下部分Ｌに昇順する論理ページを各部分データＰＤに割り付ける（ＳＴ５）。
【００５５】
以上の述べた通り、本発明の一実施形態である画像処理部１３を用いた印刷システム１によれば、内３つ折り印刷物Ｐの表面Ｓを上端ＵＥから下端ＬＥに向けて読み取り、次いで裏面Ｒを上端ＵＥから下端ＬＥに向けて読み取った画像データＤを受け取り、画像データＤを表面Ｓまたは裏面Ｒの各部分Ｕ，Ｍ，Ｌの部分データＰＤに分割し、表面Ｓの各部分Ｕ，Ｍ，Ｌおよび裏面Ｒの中部分Ｍの部分データＰＤとは向きが異なる、裏面Ｒの上部分Ｕおよび下部分Ｌの部分データＰＤを１８０度回転させて論理ページを割り付け、論理ページ順のデータ群Ｄ’に編集するため、内３つ折り印刷物Ｐであっても、各部分の印刷が同一の向きでページ順に連続するデータ群を生成できる。
【００５６】
また、本発明の一実施形態である画像処理部１３を用いた印刷システム１によれば、内３つ折り印刷物Ｐの表面Ｓを上端ＵＥから下端ＬＥに向けて読み取り、次いで裏面を下端ＬＥから上端ＵＥに向けて読み取った画像データＤを受け取り、画像データＤを表面Ｓまたは裏面Ｒの各部分Ｕ，Ｍ，Ｌの部分データＰＤに分割し、表面Ｓの各部分Ｕ，Ｍ，Ｌおよび裏面Ｒの上部分Ｕおよび下部分Ｌの部分データＰＤとは向きが異なる、裏面Ｒの中部分Ｍの部分データＰＤを１８０度回転させて論理ページを割り付け、論理ページ順のデータ群Ｄ’に編集するため、内３つ折り印刷物Ｐであっても、各部分Ｕ，Ｍ，Ｌの印刷が同一の向きでページ順に連続するデータ群Ｄ’を生成できる。
【００５７】
また、本発明の一実施形態である画像処理部１３を用いた印刷システム１は、内３つ折り印刷物Ｐの優先順序を受け付ける操作パネル１５を備え、データ処理手段１３３が受け付けた優先順序に基づいて、表面Ｓの各部分Ｕ，Ｍ，Ｌが裏面Ｒの各部分Ｕ，Ｍ，Ｌよりも先の論理ページであるか、裏面Ｒの各部分Ｕ，Ｍ，Ｌが表面Ｓの各部分Ｕ，Ｍ，Ｌよりも先の論理ページであるかに応じて論理ページを割り付けるため、各部分Ｕ，Ｍ，Ｌの印刷が同一の向きであって、より正確なページ順で連続するデータ群Ｄ’を生成できる。
【００５８】
また、本発明の一実施形態である画像処理部１３を用いた印刷システム１は、各部分Ｕ，Ｍ，Ｌの上下方向の長さが略同一な内３つ折り印刷物Ｐを読み取ることにより、受け取った画像データＤから各部分Ｕ，Ｍ，Ｌをより正確に分割でき、各部分Ｕ，Ｍ，Ｌの印刷が同一の向きでページ順に連続するデータ群Ｄ’をより精度よく生成できる。
【００５９】
なお、本実施形態では、画像処理部１３が印刷装置１０に内蔵されるものとして説明したが特に限定されるものではなく、画像読取部１２から画像データＤの受け取りが可能であれば、印刷装置１０から独立した装置であってもよく、コンピュータ５０に内蔵される装置であってもよい。
【００６０】
なお、本実施形態では、画像処理部１３が印刷装置１０に内蔵されるため、操作パネル１５を本発明の優先順位受付手段の実施形態として説明したが、特に限定されるものではなく、前述の通り、画像処理部１３が印刷装置１０から独立した装置の場合には、その装置の備える操作パネルであってもよく、画像処理部１３がコンピュータ５０に内蔵される装置の場合には、キーボード等の入力装置であってもよい。
【００６１】
なお、本実施形態の印刷装置１は、内３つ折り印刷物Ｐ以外の通常の原稿や、外３つ折り印刷物についての読み取りも可能である。
【符号の説明】
【００６２】
画像データ  Ｄ
データ群    Ｄ’
Ｌ          下部分
Ｍ          中部分
Ｐ          内３つ折り印刷物
ＰＤ        部分データ
Ｒ          裏面
Ｓ          表面
Ｕ          上部分
１          印刷システム
１３        画像処理部
１５        操作パネル
１３１      データ受取手段
１３２      データ分割手段
１３３      データ処理手段
１３４      データ編集手段
【図１】
2012142658.tif 000003
【図２】
2012142658.tif 000004
【図３】
2012142658.tif 000005
【図４】
2012142658.tif 000006
【図５】
2012142658.tif 000007
【図６】
2012142658.tif 000008
【図７】
2012142658.tif 000009